Podtech/llm-jp-corpus-v4-ja_patent huggingface dataset:
(57)【要約】【課題】  Ｓ造デッキプレート従来のアスファルトコンクリート舗装を撤去してアスファルト防水層の脹れを修復し、再度舗装をする方法は、施工に長時間を要する事。施設利用を制限する範囲が工事該当場所の周辺に及ぶ事。施工後に補修部位が目立って外観を損なう事の問題があった。【解決手段】  本発明によれば、穿孔と注入で脹れを補修する事で工事時間の短縮、利用制限の縮小、美観の保持を図る事ができ、また駆体との接着をより強くして脹れを補修できる。【選択図】図１
2010013914.tif 000002
【特許請求の範囲】
【請求項１】
Ｓ造デッキプレートに打設したコンクリート躯体にアスファルト防水を施し、アスファルト舗装をした場合に、部分的に発生する防水層とアスファルト舗装の脹れを補修する方法として、アスファルト舗装と防水層を貫通して躯体まで穿孔し、溶融したゴムアスファルトを注入して、躯体と防水層及びアスファルト舗装の接着を回復することで脹れを修復する。
【発明の詳細な説明】
【技術分野】
【０００１】本発明はＳ造デッキプレート上の躯体コンクリートに施工したアスファルト防水とアスファルトコンクリートの脹れ補修に関する。
【背景技術】
【０００２】  Ｓ造デッキプレート上の躯体コンクリートに密着施工された熱アスファルト防水層の上に、アスファルトコンクリートを舗装した現場で、部分的にアスファルト防水の脹れが発生していた。脹れを補修する手段として、アスファルトコンクリート舗装を撤去して、防水層を修復した後に再度舗装する事が行われている。
【発明の開示】
【発明が解決しようとする課題】
【０００３】  アスファルトコンクリート舗装を撤去して再度舗装をする方法は、施工に長時間を要し、施設の閉鎖範囲も広く、また施工後に補修部位が目立つ外観上の問題もある。
本発明によれば、穿孔と注入で脹れを補修する事で工事時間の短縮、利用制限の縮小、美観の保持を図る事ができ、また躯体との接着を回復して脹れを補修できる。
【課題を解決するための手段】
【０００４】  本発明は、アスファルトコンクリート舗装とアスファルト防水層を貫通して躯体コンクリート内に５０ｍｍまで穿孔してから、溶融したゴムアスファルトを注入することにより生じる躯体までを縫合するように固化したゴムアスファルトの拘束力と、アスファルト本来の粘着力とを利用して、駆体コンクリートとアスファルト防水層及びアスファルトコンクリート舗装を接着することにより問題を解決している。
【発明の効果】
【０００５】  上述したように、本発明の補修方法は従来方法に比べて、工事期間、該当場所の閉鎖範囲を縮小する事ができ、浮きの固着もより確実である。外観の変更を最小に止めると同時に、騒音や塵埃の発生も少なく廃棄物を抑制する事にも役立つ。
【発明を実施するための最良の形態】
【０００６】  以下本発明の実施の形態を図１〜図３に基いて説明する。【０００７】  図１はアスファルトコンクリート舗装、アスファルト防水層、躯体コンクリートまで貫通する穿孔作業。穿孔後に清掃をして完了する。【０００８】  図２溶融したゴムアスファルトの注入作業【０００９】  図４は注入後の転圧作業
【符号の説明】
【００１０】  ▲１▼  アスファルトコンクリート舗装
▲２▼  アスファルト防水層
▲３▼  躯体コンクリート
▲４▼  デッキプレート
▲５▼  穿孔用コンクリートドリル  径１０ｍｍ〜１２ｍｍ
▲６▼  杓子
▲７▼  溶融ゴムアスファルト
▲８▼  転圧ゴム製ハンマー
【図１】
2010013914.tif 000003
【図２】
2010013914.tif 000004
【図３】
2010013914.tif 000005
【手続補正書】
【提出日】平成20年9月1日(2008.9.1)
【手続補正１】
【補正対象書類名】明細書
【補正対象項目名】全文
【補正方法】変更
【補正の内容】
【発明の詳細な説明】
【技術分野】
【０００１】本発明はＳ造デッキプレート上の躯体コンクリートに施工したアスファルト防水とアスファルトコンクリートの脹れ補修に関する。
【背景技術】
【０００２】Ｓ造デッキプレート上の躯体コンクリートに密着施工された熱アスファルト防水層の上に、アスフアルトコンクリートを舗装した現場で、部分的にアスファルト防水の脹れが発生していた。脹れを補修する手段として、アスファルトコンクリート舗装を撤去して、防水層を修復した後に再度舗装する事が行われている。
【発明の開示】
【発明が解決しようとする課題】
【０００３】アスファルトコンクリート舗装を撤去して再度舗装をする方法は、施工に長時間を要し、施設の閉鎖範囲も広く、また施工後に補修部位が目立つ外観上の問題もある。本発明によれば、穿孔と注入で脹れを補修する事で工事時間の短縮、利用制限の縮小、美観の保持を図る事ができ、また躯体との接着を回復して脹れを補修できる。
【課題を解決するための手段】
【０００４】本発明は、アスファルトコンクリート舖装とアスファルト防水層を貫通して躯体コンクリート内に５０ｍｍまで穿孔してから、溶融したゴムアスファルトを注入することにより生じる躯体までを縫合するように固化したゴムアスファルトの拘束力と、アスファルト本来の粘着力とを利用して、躯体コンクリートとアスファルト防水層及びアスファルトコンクリート舗装を接着することにより問題を解決している。
【発明の効果】
【０００５】上述したように、本発明の補修方法は従来方法に比べて、工事期間、該当場所の閉鎖範囲を縮小する事ができ、浮きの固着もより確実である。外観の変更を最小に止めると同時に、騒音や塵埃の発生も少なく廃棄物を抑制する事にも役立つ。
【発明を実施するための最良の形態】
【０００６】以下本発明の実施の形態を図１〜図３に基いて説明する。【０００７】図１はアスファルトコンクリート舗装、アスファルト防水層、躯体コンクリートまで貫通する穿孔作業。穿孔後に清掃をして完了する。【０００８】図２溶融したゴムアスファルトの注入作業【０００９】図３は注入後の転圧作業
【図面の簡単な説明】
【００１０】
【図１】コンクリート用ドリルを使用して、脹れた部分のアスファルト舗装とアスファルト防水層を貫通し、躯体コンクリート内に５０ｍｍの深さまで穿孔する。穿孔後は孔内を清掃する。
【図２】通常の熱アスファルト防水に使用する溶融ゴムアスファルトを用意し、柄杓等の道具を使用して、先にあけた孔内に注入する。
【図３】先に注入した溶融ゴムアスファルトが冷却する前に、ゴム製ハンマー等を使用して舗装の脹れ部分を弾圧整正する。その後ゴムアスファルトが冷却固化することで接着性を回復し、脹れを修復する。
【符号の説明】
【００１１】▲１▼  アスファルトコンクリート舗装
▲２▼  アスファルト防水層
▲３▼  躯体コンクリート
▲４▼  デッキプレート
▲５▼  穿孔用コンクリートドリル  径１０ｍｍ〜１２ｍｍ
▲６▼  杓子
▲７▼  溶融ゴムアスファルト
▲８▼  ゴム製ハンマー
(57)【要約】      （修正有）【課題】深みのある側溝蓋において、嵌合部の隙間から土砂が入った場合にも、持ち上げることができるてこ車を提供する。【解決手段】１．作用点に作用点支持金物６、支点に支点車４、力点に力点ハンドル1で構成し、支点が前後に動く梃子を応用した側溝蓋脱着梃子車、及び２．短冊状鋼板の一端に引っ掛け爪を加工し、他端に鉤状に取り付けた吊り金具の底部に固定点を定め、支え金を装着した一対で端末の鎖を纏めたものと、更に鉤状吊り具と引っ掛け爪を延長してコの字形の一端に鎖を取り付けた側溝蓋脱着吊り金物。【選択図】図１
2010013916.tif 000002
【特許請求の範囲】
【請求項１】
作用点に吊り金物、支点に車、力点にハンドルで構成し、支点が前後に動く梃子を応用した側溝蓋脱着梃子車
【請求項２】
短冊状鋼板の一端に引っ掛け爪を加工し、他端に鉤状に取り付けた吊り金具の底部に固定点を定め、支え金を装着した一対で鎖の端末を纏めたものと、更に鉤状吊り具と引っ掛け爪を延長してコの字形の一端に鎖を取り付けた側溝蓋脱着吊り金物
【発明の詳細な説明】
【技術分野】
【０００１】１．この発明は、梃子を応用して側溝蓋を着脱する装置に関するものである。２．引っ掛け爪が底辺に噛み合う様働く力と荷重の殆どが爪の先端に及ぼす様に仕組まれた吊り金物。
【背景技術】
【０００２】短冊状鋼板の一端に引っ掛け爪、他端に把手を取り付けた吊り金具で双方２人で吊り上げていた。動力機械による左右の側面に鋼板を挿入し、内方向に圧力を加えて持ち上げていた。
【発明の開示】
【発明が解決しようとする課題】
【０００３】限られた爪の巾で２人対面で引き上げる際にかなりの力が必要で、特に双方呼吸を合わせて平衡に上げないと落下する恐れがある。蓋の周辺に土砂が詰まっていて抉るので取り除く必要がある。勿論下方に従って勾配はついているが、これがない場合は２人で容易に上がらない。動力機械の場合は路面を占有し警備の必要があり特に騒音・燃料消費等費用が嵩む。
【問題解決の手段】
【０００４】１．作用点に吊り金物、支点に車、力点にハンドルで構成し、支点が前後に動く梃子を応用した側溝蓋脱着梃子車２．短冊状鋼板の一端に引っ掛け爪を加工し、他端に鉤状に取り付けた吊り金具の底部に固定点を定め、支え金を装着した一対で鎖の端末を纏めたものと、更に鉤状吊り具と引っ掛け爪を延長してコの字形の一端に鎖を取り付けた側溝蓋脱着吊り金物
【発明の効果】
【０００５】古来より手近に用いられている梃子を応用したので作業が簡略である。一連の作業が一人でも行え、個々の取り扱いが数秒乃至ワンタッチである。吊った状態で走行運動性が良く、使用後は前傾スタンドで場所をとらない。縦方向横方向同じ様に吊り上げ作業ができる。双方車輪軸を除いた固定車の場合は標準側溝蓋より巾を広めにすると縦横斜め方向から吊り上げが可能となる。ただしこの場合橋板が必要。連結は調整容易なリングキャッチ・シャックルで止めてある。引っ掛け爪は４５Ｃ鋼焼入れ、要所を熔接で補足してある。十字吊り具の上部にリングが取り付けてあり、人力・動力・ウインチ油圧機に利用できる。十字吊り金具は前後に動き旋回も容易である。作用点の嵌合溝は複数になっており、支点との間隔の調節ができる様になっている。コの字形吊り金物は蓋の重力中心の近辺で吊り上げられるが必要に応じ並列接続にすると更に安定する。
【発明を実施するための最良の形態】
【０００６】１．支点の位置にそれぞれ固定キャスターを取り付け双方の間隔、更に作業点と支点との間隔を側溝蓋の大きさに応じて現場で調節を行える様、タンバックル・長穴継手等で保持できる様にしたものはより作業が快適に行える。２．十字吊り金具、嵌合溝を側溝蓋の中央に導き前傾スタンドに委ねる。３．吊り金物の把手を持って引っ掛け爪を蓋の両端から挿入すると爪が底辺に接する状態に固定点支え金の作用で更に強く噛み合う。４．十字吊り金具を嵌合溝に嵌め、スタンドを外すと後方へ重心が移る。５．状況により  引っ掛け爪の背部についている梃子爪にバールを掛けて２、３度揺する。６．附属備品として５〜６０ｋｇの荷重に耐える橋板１枚とバール・台木等、台木は適当な太さのビニールパイプを適宜切断して１箇所開放すると何枚も重ねて保存でき取り扱いが簡便である。
【図面の簡単な説明】
【０００７】
【図１】本発明の正面図
【図２】本発明の引っ掛け金取り付け図
【図３】本発明の引っ掛け金物吊った図
【図４】本発明のコの字形吊り金物
【図５】本発明の実施図
【図６】本発明の実施図
【符号の説明】
【０００８】  １．力点ハンドル          ２．十字吊り具嵌合溝同作用点  ３．前傾スタンド          ４．支点車  ５．初動用足掛け          ６．作用点支持金物  ７．後傾スタンド          ８．実物大テスト用枠  ９．引っ掛け爪          １０．着脱用把手１１．鎖                  １２．リングキャッチ１３．十字吊り具          １４．鉤形吊り金物１５．固定点支え金
【図１】
2010013916.tif 000003
【図２】
2010013916.tif 000004
【図３】
2010013916.tif 000005
【図４】
2010013916.tif 000006
【図５】
2010013916.tif 000007
【図６】
2010013916.tif 000008
(57)【要約】【課題】  水性のメークアップ化粧品の特徴である使用感に優れて、伸びが良く化粧のムラを抑えたゲル状のメークアップ化粧料を提供する。【解決手段】  寒天及び水溶性増粘剤を配合し、Ｏ／Ｗ乳化系メークアップ化粧料を粘性のあるゲル状の剤型として水性のメークアップ化粧料の感触と乳化型化粧料の伸びの良さを特徴とするゲル状メークアップ化粧料。【選択図】なし【特許請求の範囲】
【請求項１】
寒天及び水溶性増粘剤を含有し、寒天によりＯ／Ｗ乳化系メークアップ化粧料を粘性のあるゲル状の剤型を特徴とするゲル状メークアップ化粧料。
【請求項２】
寒天を０．０１％〜１０％、水溶性増粘剤を０．０１％〜３％配合することを特徴とする請求項１に記載のゲル状メークアップ化粧料。
【請求項３】
水溶性増粘剤が、キサンタンガム、カラギーナン、グアーガム、アルギン酸、カルボキシビニルポリマーである請求項１〜２記載のゲル状メークアップ化粧料。
【発明の詳細な説明】
【技術分野】
【０００１】  水性のメークアップ化粧料は湿気の高い夏場や和装時に使用することで和装に適合することで使用されるが、従来の水性のメークアップ化粧料は化粧用の粉体を水に分散させる製品がありこれは、使用時に下に沈んだ粉体を容器を振ることで再分散させて使用、あるいはＯ／Ｗ型の乳化形態を有する乳化型のメークアップ化粧料である。【０００２】  粉体を水に分散させた水性メークアップ化粧料の使用感は水に分散させているため良いが、皮膚上での延びは水が皮膚に吸収されて悪くなる。Ｏ／Ｗ型乳化タイプの場合伸びは良くなるが、剤型の安定性を保つために油相の配合量を高くる必要があり、油相の感触が残りサッパリ感がなくなり感触が悪くることで水性化粧品としての機能を果たせない。例えば刺激のあるものに、「特許文献１」があり、非イオン性界面活性剤と油と水及び水溶性シラン誘導体配合の「特許文献２」あるいは、口紅状態改善の「特許文献３」更に崩壊性粒子を含有した「特許文献４」などがある。
【特許文献１】特願２００８−７４３０
【特許文献２】特願２００８−６３３１０
【特許文献３】特願２００８−１９１８７
【特許文献４】特願２００８−８１４９５
【発明の開示】
【発明が解決しようとする課題】
【０００３】  本発明においては、水性のメークアップ化粧料の使い心地の良さを残して、水分散型メークアップ化粧品の欠点である伸びの悪さを改善し、使用感に優れたゲル状のメークアップ化粧料を調製する。またゲル状にすることで一般に使用するメークアップ化粧料と同様な使用が可能となる。
【解決するための手段】
【０００４】  本発明者らは上記問題を解決するために、鋭意研究を行った結果、寒天を配合することによりＯ／Ｗに調製した乳化型メークアップ化粧料を安定にゲル化させ、さらに水溶性の増粘剤を配合することで寒天の持つ非粘性的な性質を補完して粘性を付与した。寒天を使用してゲル化して安定化を図るため、使用するＯ／Ｗの乳化物の油相の配合量が少なくてよい。
【０００５】  また、寒天と水溶性の増粘剤を併用することで、ファンデーションを容器からスポンジなどで取る時にスポンジになじみやすく、塗布しやすい。
【発明の効果】
【０００６】  本発明においては、水性のメークアップ化粧料の使い心地の良さを残して、水分散型メークアップ化粧品の欠点である伸びの悪さを改善し、使用感に優れたゲル状のメークアップ化粧料を調製する。またゲル状にすることで一般に使用するメークアップ化粧料と同様な使用が可能となる。
【発明を実施するための最良の形態】
【０００７】  本発明に使用される寒天は化粧品に用いられる寒天を利用できる。たとえばウルトラ寒天ＡＸ−１００（伊那食品工業社製）を利用できる。寒天は化粧品用の粉体の表面処理剤などにも使用されるが、本発明には水へ溶解してゲル化剤として使用する。【０００８】  本発明のゲル状メークアップ化粧料においては寒天を、０．０１〜１０％配合、より好ましくは０．１から７％、さらに好ましくは０．５〜５％配合される。本発明のゲル状メークアップ化粧料には水溶性増粘剤を０．０１％〜３％配合、好ましくは０．０５〜２％、さらに好ましくは０．１から１％配合される。【０００９】  本発明に使用される水溶性増粘剤はキサンタンガム、カラギーナン、グアーガム、アルギン酸、カルボキシビニルポリマーが用いられるが、これら増粘剤は単独でも良く、また併用して使用しても良い。また、これらの水溶性増粘剤は化粧品にもちいられる、グレードのものが好ましく、旧粧原基や旧粧配規又は外原規の規格を満足するものが好ましい。本発明のゲル状メークアップ化粧料には、上記必須成分の他に加え、必要に応じて通常化粧料に配合される成分を配合してもよい。【００１０】  他に加えてもよい配合成分としては、油脂成分、保湿剤、エモリエント剤、界面活性剤、有機および無機顔料、有機粉体、紫外線吸収剤、防腐剤、殺菌剤、酸化防止剤、植物抽出物、ｐＨ調整剤、アルコール、色素、香料、血行促進剤、冷感剤、制汗剤、精製水等があげられる。
【実施例】
【００１１】  以下、実施例を挙げて本発明を具体的に説明する。配合量は、特に記載のないものは質量％である。実施例の説明に先立ち本発明で用いた効果試験方法について説明する。【００１２】  ボランティア２０名によって使用感効果テストを行った。ボランティアは、毎日１回７日間肌（顔面）に塗布する用法での使用試験を行い、「メークアップ時の使用感」、「肌への延び感」、「ムラになる」、「化粧浮きがおこる」を官能で評価した。各評価は、３段の評価として、それぞれの評価をした人数をまとめた。【００１３】
【表１】
2010013428.tif 000002
【表２】
2010013428.tif 000003
上記実施例１〜７、比較例１〜３のゲル状メークアップ化粧料につき効果試験を行い、その評価結果を表３に示した。
【表３】
2010013428.tif 000004
表３からわかるように、Ｏ／Ｗ乳化型メークアップを寒天にてゲル化しさらに水溶性増粘剤により粘性を持たせた水性のゲル状メークアップ化粧料の場合使用感、延び、化粧ムラを防ぐ、化粧うきの防止に優れた効果を示した。一方、寒天を使用しない比較例２，３の場合、使用感、化粧ムラが著しく劣り、水溶性増粘剤を配合しない比較例１，３の場合肌への延び、化粧浮きの評価項目において著しく効果が劣っている。
【産業上の利用可能性】  本発明はゲル状メークアップ化粧料に関するもので詳しくは寒天によりＯ／Ｗ型乳化系メークアップ化粧料を粘性のあるゲル状の剤型とすることで使用時において肌上でヨレを防ぎ、皮膚上で伸びを良くしてさらに水性メークアップ化粧料の優れた感触を付与することを特徴とするゲル状メークアップ化粧料を提供することである。【００１４】
(57)【要約】【課題】  広幅透明テープは、切断時の張力等でテープ端末が斜裂断と巻戻り現象があり、再使用時には端末の確認と確保が困難で著しく時間と資源の無駄がある。  又透明テープは大、小径及び幅寸法等で複数の製品があるが、既販のテープカッターは切断歯が外装固定式の為、危険で更に単一製品専用で互換性に欠ける欠点がある。【解決手段】テープ張力の遮断と端末保持機能を開発して、透明テープの欠陥を排除し、更にテープ保持枠を組合わせて大、小及び異幅テープの併用が可能な多能化カッターを提供する。  連結筒１に側板２、副板３を結合し、駆動棹６ａ，ｂでテープ押え４を連結筒１の切欠部１ａの上縁に圧接し、駆動板９ａ，ｂで切断歯付板８をスライドさせて狭圧しテープを切断する。側板２には大小径の保持枠１１，１２の組合せと切欠き部１３を設ける・  切断歯付板８は内挿式の為安全で、省資源、省時間、省力で快適な梱包作業が出来る。【選択図】図１
2010013285.tif 000002
【特許請求の範囲】
【請求項１】
駆動棹６ａ，ｂでテープ押え４を連結筒１の切欠部１ａの上縁に押圧し、テープの張力を遮断する事を特徴とするテープカッター。
【請求項２】
請求項１に付帯し、連結筒１内に内挿した切断歯付板８を駆動棹９ａ，ｂでスライドさせて、梱包物とテープ押え４間の張力テープを切断する事を特徴とするテープカッター。
【請求項３】
請求項１，２に記載した機構に、テープの端末保持を目的とする球形ロールをＵ列配置したテープ押え４を設ける事を特徴とするテープカッター。
【請求項４】
請求項１，２、３に記載した機能に、大経テープの半径に相当する支持枠１１と小径支持枠１２を組合わせた支持枠系を、側板２に連結又は１体成型し、大徑支持枠１１の内縁に沿って切欠部１３を設けた事を特徴とするテープカッター。
【発明の詳細な説明】
【技術分野】  本発明は、事業場又は一般家庭に於ける梱包、張合せ作業時の省資源、省力に関する。
【背景技術】
【特許文献１】  特開  ２００６−１６０５１５
【特許文献２】  特開平  ９−２６７９６５
【発明の開示】
【発明が解決しようとする課題】  広幅透明テープは、冬季では切断時の張力及び収縮作用で斜裂断しテープ本体に巻戻る欠点があり、再使用時には切断面の見極めと端末引出しに多くの時間と労力を要する、
透明テープは巻芯径、幅等で多種類市販されているが、既販冶具は原則として１品種専用品が多く、又切断歯が外装固定方式で安全面でも問題がある。
【課題を解決するための手段】  透明テープの欠点に対応し使用方法と既販冶具の機能を解明し、テープ端末の押えと捕捉及び切断方式を改良し、更に切断歯を内挿式とし安全面にも配慮した。又、異種テープ（巻芯径、幅）にも対応する多機能型テープカッターを開発した。
【発明の効果】    本発明は、広幅透明テープの端末捕捉機能の改良と幅及び巻芯径等の異種テープの使用も可能とする多機能で、一般家庭及び商工業全般での梱包、張合せ作業が安価、安全、省力、省資源で提供できる。
【実施例】  本発明の実施例に就いて説明する。
図１は、本考案の構成を例示すもので、切欠部１ａ付の連結筒１に側板２と副板３を固定又は射出一体成型する。テープ押え４を側板２の切欠溝５を介して保持し駆動棹６ａ，と６ｂでテープを連結筒１の切欠部１ａの上縁に押付けてテープを保持する、
８は切断歯付板でＬ型駆動板９ａ、９ｂで連結筒１の切欠部１ａにスライドし、駆動棹６ａ，６ｂとで狭圧し、テープ張力を維持した状態で切断する。７，１０は戻しバネで後退作動し、テープ端末を保持してテープの収縮、巻戻りの防止と、切断歯を内挿する。
テープ押え４は球形ロールが２対１と両端に配置し、中間部をＵ型に形成した分割配置でテープの拘束と巻戻り防止と再使用時のテープ端末の剥離と取出しを容易にした。
半円状の大徑テープ１１、小径テープの支持枠１２は、側板１に固定又は一体成型し更に、大経支持枠１１の内縁に沿って半円状の切欠部１３を設けて梱包時の引手とした。
これを使用実態に就いて説明する。
▲１▼『テープ装着』使用するテープのサイズ（幅及び支持枠徑）により大徑支持枠１１及び小径支持枠１２を個別又は組合わせて挿入しテープ端末を延長する。
▲２▼『梱包作業』、梱包物にテープ端末を押圧し、切欠部１３を利用して引寄せて貼合せ、終了点で駆動棹６ａ，６ｂを手前に引寄せ、テープ押え４を連結筒１の切欠部１ａの上縁に押圧する。これでテープと梱包物間は張力を維持し、逆のテープ本体間は無張力となる。次いでＬ型駆動棹９ａ，９ｂで切断歯板８を連結筒１の切欠部１ａ迄スライドして挟圧し、テープを切断し梱包作業を終了する。テープの本体側端末はテープ押え４に点接触し巻戻りと端末保持が可能で、更に再使用時には簡単に剥離、抽出が出来る。
▲３▼『狭幅テープ』  基板１４を底面とした状態で、テープを側板２側に沿って挿入し、延引しても切断歯８が内挿式の為に安全で、駆動棹６ａ，ｂ及び９ａ，ｂで挟圧して切断する。
【産業上の利用可能性】  本テープカッターは、大、小径テープ支持枠で異徑、異幅に対応し、テープの斜裂切断と巻戻り等が防止され、切断歯が内挿式の多機能型で、安価に提供でき梱包作業等が、安全、省力、省資源、省時間で快適な作業ができる。
【図面の簡単な説明】
【図１】側面図
【図２】平面図
【符号の説明】１、          連結筒                      ８、          切断歯付板
１ａ、        切欠部                      ９ａ，９ｂ，  駆動棹
２、          側板                        １０、        戻しバネ
３、          副板                        １１、        大径支持枠
４、          テープ押え                  １２、        小径支持枠
５、          切欠溝                      １３、        切欠部
６ａ，６ｂ，  駆動棹                      １４、        基板
７、          戻しバネ
【図１】
2010013285.tif 000003
【図２】
2010013285.tif 000004
(57)【要約】【課題】  本発明は、生ゴミの水分を効果的に、衛生的に除くことができる事を、可能とした、ドーム式丸型シンクコーナーである。【解決手段】  生ゴミ入れの底を丸型に形成し、回りに蓋となるための自由に倒れる羽根を設け、穴の開いた底に１本の長めの脚と本体が傾く事を可能とするパイプと、脚となるワクを設け、スライドするワクを設けたことを特徴とする、ドーム式丸型シンクコーナー。【選択図】図１
2010013284.tif 000002
【特許請求の範囲】
【請求項１】
生ゴミ入れの底を丸型に形成し、回りに蓋となるための自由に倒れる羽根を設け、穴の開いた底に１本の長めの脚と本体が傾く事を可能とするパイプと、脚となるワクを設け、スライドするワクを設けたことを特徴とする、ドーム式丸型シンクコーナー。
【発明の詳細な説明】
【技術分野】
【０００１】  本発明は、台所の生ゴミ入れの底を丸型に形成し、回りに蓋となるための穴の開いた自由に倒れる羽根を取り付ける、側面の羽根の一部を押すことにより、羽根の一部が重なり合い倒れ、口が閉じ蓋となる、閉じた蓋を上から押すことにより下の穴より水分が押し出される、さらに水切り効果を高めるため、本体を傾け維持できることを可能とし、台所の生ゴミの水分を、効果的に、衛生的に、除くことが出来、蓋としても使えるように工夫したドーム式丸型シンクコーナーである。
【背景技術】
【０００２】  従来、台所の生ゴミは、三角コーナーのようなカゴだけでは、十分に水切れができず、生ゴミの多くが水切れ不十分な重たいゴミとして出されており、ゴミの減量には問題点があった。
又、台所では口が開いたままで、視界も悪く放置すると、ゴキブリやハエの侵入などで不衛生であった。
【発明の開示】
【発明が解決しようとする課題】
【０００３】  そのために、次のような問題点があった。
（イ）台所で出る生ゴミは水分が多いため重く、ゴミの減量はむずかしかった。
（ロ）ネットに入っている生ゴミを手などで絞って、水切りをするが、手が汚れ不衛生で      あった。
（ハ）従来の三角コーナーなどは、カゴが低いため、流した水で再び底から水分を含んで      しまうことが多かった。
（ニ）生ゴミ入れの口が開いているため、放置すると見た目にも悪く、又ゴキブリやハエ      などが侵入し不衛生であった。
本発明はこれらの問題点を解決するためになされたものである。
【課題を解決するための手段】
【０００４】  生ゴミ入れの底を丸型に形成し底の回りに蓋となるための穴（２）の開いた自由に倒れる羽根（１）の差込口（３）を底の差込口（４）に取り付ける。
差し込んだ羽根（１）の側面の一部を押すことにより、羽根の一部が重なり合い倒れ、口が閉じる。
閉じた口を上から押さえることにより、底の穴（５）より水分が押し出される。
又、底からの水の浸入を防ぐため、底に１本の長めの脚（６）と固定されたパイプ（７）の中を通り傾くことを可能とする脚となるワク（８）とスライド可能なスライドワク（９）を取り付ける。
さらなる水切り効果を高めるために、本体を斜めに維持できるようスライドして引き出されたスライドワク（９）で固定する。
本発明は以上のような構造からなるドーム式丸型シンクコーナーである。
【発明の効果】
【０００５】  本発明を使用することにより、台所で出る生ゴミの水分を、生ゴミに直接手を触れることなく、効果的に衛生的に除くことが出来ゴミの減量が図れる。
しかも、本体がドーム式としての機能もあり蓋としての役目も果たすためシンクの中の視界もよく衛生的である。
さらに、本体が斜めに傾けられることで一層の水切れ効果が得られる。
【発明を実施するための最良の形態】
【０００６】  以下、本発明を実施するための最良の形態について説明する。
生ゴミ入れの底を丸型に形成し底の回りに蓋となるための穴（２）の開いた自由に倒れる羽根（１）の差込み口（３）を底の差込口（４）に取り付ける差し込んだ羽根（１）の一部を押すことにより、羽根の一部が重なり合い倒れ口が閉じる。
閉じた口を上から押さえることにより、底の穴（５）より水分が押し出される。
底から再び水の浸入を防ぐため底に１本の長めの脚（６）と固定されたパイプ（７）の中を通り傾くことを可能とする脚となるワク（８）とスライド可能なスライドワク（９）を取り付ける。
更なる水切り効果を高めるため本体を傾けて維持し、スライドして引き出されたスライドワク（９）で固定する。
本発明は以上のような構造からなる。
本発明を使用する時は、側面の羽根（１）を押すと口が閉じ蓋となる。
その蓋を上から押さえ、底の穴（５）より水分を押し出す。
さらに本体を傾け、スライドして引き出されたスライドワク（９）で固定し水切り効果を高める。
以上を特徴とする、ドーム式丸型シンクコーナーである。
【図面の簡単な説明】
【０００７】
【図１】  本発明の使用状態を示した斜視図である。
【図２】  本発明の羽根の斜視図である。
【図３】  本発明の使用状態を示した斜視図である。
【図４】  本発明の使用状態を示した斜視図である。
【図５】  本発明の羽根の取り付けを示した斜視図である。
【図６】  本発明の羽根の取り付けを示した斜視図である。
【符号の説明】
【０００８】  １  羽根
２  羽根の穴
３  羽根差込み口
４  底差込み口
５  底の穴
６  長めの脚
７  パイプ
８  脚のワク
９  スライドワク
【図１】
2010013284.tif 000003
【図２】
2010013284.tif 000004
【図３】
2010013284.tif 000005
【図４】
2010013284.tif 000006
【図５】
2010013284.tif 000007
【図６】
2010013284.tif 000008
(57)【要約】【課題】  圧電素子を用いて自転車の照明にＬＥＤを点灯させる装置において、圧電発電装置が小型でありながら、小さな応力で、多数個のＬＥＤを高輝度で発光させ、しかも耐久性にすぐれた自転車照明装置を提供すること。【解決の手段】  図１および図２の圧電発電装置を用いて小さな荷重でも圧電素子には大きな応力がかかり、高電圧と大きな電荷量を発生させて、多数個のＬＥＤを高輝度で発光させるようにした自転車照明装置。【選択図】図３
2010013085.tif 000002
【特許請求の範囲】
【請求項１】
３点曲げ構造の圧電発電装置の両端をサドルの２個あるスプリングの各々に固定され、該装置の中央部に接続された取り付け金具の他端部がサドルの底部またはスプリングの一部に固定された構造を有し、サドルの後部を発光させる自転車照明装置。
【請求項２】
３点曲げ構造の圧電発電装置またはてこの原理を用いた圧電発電装置をペダルの片面ないしは両面に取り付け、ペダル表面または内面に設けられた突起部を介して応力を与える構造を有し、ペダルの側面を発光させる自転車照明装置。
【請求項３】
請求項１ないしは請求項２で発電した電気をコードを介して自転車の後部に取り付けたＬＥＤを発光させる自転車照明装置。
【発明の詳細な説明】
【技術分野】
【０００１】  本発明は圧電素子を用いて人力で発電し、自転車のサドル部、ペダル部、後部にＬＥＤを取り付けて発光させた照明装置に関するものである。
【背景技術】
【０００２】  従来、表示灯としては発光ダイオード（ＬＥＤ）が用いられている。ＬＥＤを発光させるための電源として近年圧電発電装置が利用されている。その一例として例えば特願平１１−８８７４８で提案されている。これまでＬＥＤの輝度を向上させるために、圧電素子に剛体を衝突させて大きな電圧を発生させる方式がとられていた。【０００３】  しかしながら、発生電圧が高くても電荷量はそれほど大きくないために、ＬＥＤはせいぜい２個程度しか発光できず、視認性は十分とはいえなかった。
【発明の開示】
【発明が解決しようとする課題】
【０００４】  従来考えられていた応用、例えば自転車のサドル後部の照明やペダルの照明には、視認性の確保のために、多数個のＬＥＤを取り付ける試みがなされてきた。そのためには圧電素子の発電量を上げるために如何にして大きな衝撃力を与えるかの工夫がなされてきた。そのために衝撃物の移動を容易にするための通路等を設ける必要が生じ、圧電発電装置は大型にならざるを得なかった。また大きな衝撃力を与え続けるために、破損等信頼性の確保にも配慮しなければならなかった。【０００５】  圧電発電装置において、小さな衝撃力ないしは応力で大きな発電量を得ようとすれば、圧電素子は出来るだけ厚みを薄くかつ大きな電極面積にすることが求められる。しかし自転車照明装置として利用する場合大きな面積や体積を有するものは使用上障害となることが多い。また単に発電量が大きいだけでは多数個シリーズに接続したＬＥＤを点灯させるには不十分であり、高電圧を得るためには圧電素子の厚さを必要とする。
【課題を解決するための手段】
【０００６】  本発明は、このような課題を解決するために、従来の考え方に反して小面積で０．５ｍｍ以上もある圧電素子を用いながら発生電荷量を上げ、高い発生電圧を得るために大きな荷重を加える構造を検討した。ただし加える力を出来るだけ軽減するために、てこの原理ないしは３点曲げ構造を有する圧電発電装置を導入した。この結果、強い衝撃力は必要とせず、小型薄型でありながら、ＬＥＤを多数個シリーズに接続しても十分輝度が得られる自転車照明装置が提供できる。
【発明の効果】
【０００７】  本発明では、基板に貼り付けられた圧電素子に曲げ応力を与え、圧縮応力または引っ張り応力を発生させている。この応力に比例して発生電圧が高くなり、また発生電荷量も比例して大きくなる。この結果従来の課題であったＬＥＤを多数個シリーズに接続して十分な輝度を得る課題を一気に解決させたものである。また強い衝撃力を与える必要もなく衝撃による破損も克服することが出来た。【０００８】  本装置は圧電発電装置で発生した電気エネルギーを直接自転車照明に使用することが主目的であるが、コンデンサや二次電池に充電しておくことも可能である。
【発明を実施するための最良の形態】
【０００９】  以下、本発明の実施の形態について図面に基づいて説明する。【００１０】  図１は本発明に用いた圧電発電装置の内、てこの原理を用いたものであり、図２は３点曲げ構造のものである。図３はサドルのスプリング部に取り付けた本発明の請求項１につて示す実施例である。図中１は３点曲げ構造の圧電発電装置、２は中央支点、３はサドルのスプリング部、４は取り付け金具、５はＬＥＤである。【００１１】  図４は本発明ペダル部に取り付けた本発明請求項２について示す実施例である。図中６は、てこの原理方式、ないしは３点曲げ構造の圧電発電装置、７は支点を選択的に加圧するための突起部である。【００１２】  図５はサドル部ないしはペダル部で発電された電気で請求項３について示す自転車後部照明のＬＥＤを示す実施例である。【００１３】  以上述べた如く本発明によれば、圧電素子に大きな衝撃を与えることなく、多数個のＬＥＤを高輝度で点灯させ、しかも破損事故等もなく耐久性のある自転車照明装置を提供することが可能になった。
【図面の簡単な説明】
【００１４】
【図１】  本発明に用いたてこの原理を用いた圧電発電装置の一例
【図２】  本発明に用いた３点曲げ構造の圧電発電装置の一例
【図３】  本発明のサドル部を示す概略図
【図４】  本発明のペダル部を示す概略図
【図５】  本発明の後部照明を示す概略図
【符号の説明】
【００１５】  １  ３点曲げ構造の圧電発電装置
２  中央支点
３  スプリング
４  取り付け金具
５  ＬＥＤ
６  圧電発電装置
７  突起部
【図１】
2010013085.tif 000003
【図２】
2010013085.tif 000004
【図３】
2010013085.tif 000005
【図４】
2010013085.tif 000006
【図５】
2010013085.tif 000007
(57)【要約】【課題】  従来からある強化ガラス破壊工具（緊急時脱出ハンマー）は取りつける作業が必要であった。そこで通常車内に敷かれているカーマットに強化ガラス破壊機能を持たせて取付け作業を省略し、簡単に装備できるようにした。【手段】  カーマットの裏側に鋭角な金属スタッドが付いたプレートを張り合せて強化ガラスを破壊できるようにした。【選択図】図３
2010013083.tif 000002
【特許請求の範囲】
【請求項１】
自動車に搭載されているカーマットの裏側に円錐形金属のスタッドを持つプレートが張り合せてあるカーマット。
【発明の詳細な説明】
【技術分野】
【０００１】  本発明はカーマットに強化ガラスを破壊できる機能を持たせ水没など緊急時に車外に脱出するときの道具に関するものである。
【背景技術】
【０００２】  従来の破壊ハンマーなどはホルダーを車内に取付ける必要がある。
【特許文献１】
【発明の開示】
【発明が解決しようとする課題】
【０００３】  そのために次のような問題点があった。
（イ）車内に破壊ハンマー用のホルダーを取付けるために工作が必要である。
【課題を解決するための手段】
【０００４】  自動車の床に敷かれているカーマットの裏側にしっかりしたプレートを張り合わせ、そのプレートの中央部分には強化ガラスを破壊できる鋭角の円錐形の金属スタッドを設けることにより、簡単に装備できるようにした。
本発明は、以上の構成よりなるカーマットである。
【発明の効果】
【０００５】  破壊ハンマー用のホルダーを取付ける煩わしさが解決し、車内助手席の床などに通常のカーマットとして敷いて置けば良い。
【発明の実施するための最良の形態】
【０００６】  以下本発明の実施の形態を説明する。
（イ）カーマット（１）の裏面に円錐形金属のスタッド（３）を持つ取付けプレート（２）を張り合わせる。
本発明は以上のような構造でこれを使用するときは、ガラスにカーマット（１）裏側の金属スタッド（３）をあてがい、カーマット（１）の表面から力一杯叩きガラスを破壊脱出する。
【図面の簡単な説明】
【０００７】
【図１】  本発明の側面図
【図２】  図１のａ線からの断面図
【図３】  裏側からの斜視図
【符号の説明】
【０００８】  （１）カーマット、（２）取付けプレート、（３）金属スタッド
【図１】
2010013083.tif 000003
【図２】
2010013083.tif 000004
【図３】
2010013083.tif 000005
(57)【要約】【課題】従来のクッションドラムは大型で運搬に不便で、移動を伴う工事現場等においては多数のクッションドラムを工事現場に設置することが困難であった。【解決手段】折りたたみ可能な布製のクッションドラムで運搬時に折りたたむことにより、今までの樹脂性クッションドラムより大量のクッションドラムを現場に提供することができる。また布製クッションドラムをとってにより連結させることができる。そして連結させて使用することにより車両等を減速させながら衝撃緩衝を図ることができる。【選択図】図４
2010013825.tif 000002
【特許請求の範囲】
【請求項１】
折りたたみ可能な有底円中型布製筒中に、水等を入れる口を有する樹脂製容器からなる自立可能なクッションドラム。  
【請求項２】
クッションドラム本体の側面にとってをもつ請求項１記載のクッションドラム。
【発明の詳細な説明】
【技術分野】
【０００１】
この発明は、自動車等の衝突時に衝撃緩衝の役割を果たすクッションドラムに関する。
【背景技術】
【０００２】
従来道路工事現場等において、自動車等の衝突時の衝撃緩衝の役割を果たすものとして、ポリエチレン樹脂、筒径６００ｍｍ、高さ８４０ｍｍ程度で形成されていて、また本体の重量が１０ｋｇ等、内部に水、または土嚢をいれて全重量が１２０ｋｇ以上になるクッションドラムを用いてきた。そのクッションドラムを運搬するのに様々な方法が特許文献1に示すような技術も考案されていた。
【特許文献１】特許出願平９−６５３８４
【発明の開示】
【発明が解決しようとする課題】
【０００３】
しかしながら、以上の技術によれば、クッションドラムは筒径が６００ｍｍ、高さ８４０ｍｍ程度あるために、トラック等の車両でも少数のクッションドラムしか運搬できなかった。また移動を伴う工事現場等においては全重量が１２０ｋｇ以上あるクッションドラムを少数しか工事現場に設置できないために、図４のような状態では車両等を減速させて充分な衝撃緩衝効果を得るということが出来なかった。
そこで、この発明は、運搬が容易な多数のクッションドラムを一体の大型クッションドラムとして使用して車両等を減速させながら衝撃緩衝効果を得ることを目的とする。
【課題を解決するための手段】
【０００４】
以上の問題を解決するために第一発明は折りたたみ可能な有底円中型布製筒中に、水等を入れる口を有する樹脂製容器からなる自立可能なクッションドラム。
第二発明はクッションドラム本体の側面にとってをもつ請求項１記載のクッションドラム。
【発明の効果】
【０００５】
この発明は折りたたみ可能な布製のクッションドラムを用いることにより、従来のクッションドラムでは少数しか運搬できなかったものを、折りたたむことによってより多くのクッションドラムが運搬出来、クッションドラムを多数現場に提供できるものである。またクッションドラムを第二発明のとって部分によって、保安柵等で連結させて複数使用することができる。
【発明を実施するための最良の形態】
【０００６】
この発明の一実施形態を、図１に示す。
クッションドラム本体１は布製で折りたたみ可能であり、この本体１の側面にとって２が一部取り外しが可能な状態で縫い付けてある。
【０００７】
３は樹脂性容器であり、現場で使用するときは水等を入れて設置する。
【０００８】
２のとっては、図２のように一部を固定し、一部をマジックテープ（登録商標）等で取り外しができる状態で縫い付けてある。
【０００９】
以下クッションドラム使用方法を説明する。クッションドラム本体１を折りたたんだ状態から図１のように自立できる状態にし、１の内部の樹脂性容器３に水等を入れ、現場に設置する。その後とって２のマジックテープ（登録商標）部分を取り外し保安用のコーンバー等を取り付けた後、マジックテープ（登録商標）を元に戻してとって２を固定し、クッションドラムを連結させる。そのクッションドラムを連結させて現場に設置した状況を図５に示す。車両等が図４に示すような従来のクッションドラム設置方法では衝撃緩衝を図るのに充分に減速させないまま１個ないし２個程度のクッションドラムに衝突させ衝撃緩衝させようとしてきたために現場の安全は確保できても、衝突してきた車両の方の安全はあまり考慮されていなかった。それに対し本発明によるクッションドラムの複数使用による保安設置状況図４では車両等を本発明のクッションドラムと連結させた間の空間を用いて車両等の速度を減速させながら衝撃緩衝を図るので、現場の安全はもとより、衝突してきた車両等の安全も充分に確保できるようにされている。
【図面の簡単な説明】
【００１０】
【図１】クッションドラム本体に樹脂性容器を内蔵している状態を示す斜視図である。
【図２】クッションドラム本体側面に取り付けたとっての構成を示す図である。
【図３】クッションドラム本体を折り畳んだ状態を示す図である。
【図４】従来技術のクッションドラムを用いた現場の保安設置状況を示す図である。
【図５】本発明のクッションドラムを用いた現場の保安設置状況を示す図である。
【符号の説明】
【００１１】
１クッションドラム本体
２とって
３樹脂性容器
【図１】
2010013825.tif 000003
【図２】
2010013825.tif 000004
【図３】
2010013825.tif 000005
【図４】
2010013825.tif 000006
【図５】
2010013825.tif 000007
(57)【要約】      （修正有）【課題】既存の調理用ボウルに簡単に取り付けが可能な注ぎ口を提供する。【解決手段】注ぎ口部の溝をボウルの縁に引っ掛け、ボウル底部にそって注ぎ口を取り付けた反対側の縁に末尾のストッパーを引っかけることで固定される。ストッパーは複数形成されており、また全体がシリコン等の弾力性材で形成されていることから、取り付けたいボウルのサイズや形状にも柔軟に対応が可能であり、取り外しも簡単で、繰り返し使用が可能である。【選択図】図３
2010013191.tif 000002
【特許請求の範囲】
【請求項１】
調理用のボウルに簡単に取り付けが可能な注ぎ口。
【発明の詳細な説明】
【技術分野】
【０００１】
本発明は、調理用のボウルに簡単に取り付けが可能な注ぎ口を提供するものである。          
【背景技術】
【０００２】
従来は、注ぎ口付きのボウルは収納時にかさばるため、大小複数のボウルを揃える場合、注ぎ口のないボウルを選択することが多かった。
【発明の開示】
【発明が解決しようとする課題】
【０００３】
既存の注ぎ口がないボウルに、必要時に注ぎ口を取り付ける。
【課題を解決するための手段】
【０００４】
ボウルの縁に簡単に取り付け及び取り外しが可能な注ぎ口である。
【発明の効果】
【０００５】
既存のボウルの縁に簡単に取り付けが出来る注ぎ口であり、使用後も簡単に取り外すことができ、繰り返し使用が可能である。
【発明を実施するための最良の形態】
【０００６】
ボウルの縁に本件注ぎ口先端部の溝を引っかけ、ボウルの底部にそって注ぎ口を装着した反対側のボウルの縁に、本件注ぎ口末尾に形成されたストッパーを引っかけることで、全体が固定される。また、注ぎ口の下部には液だれ防止壁を形成する。取り付けようとするボウルのサイズに対応できるよう、末尾のストッパーは複数形成する。取り付けようとするボウルのサイズや形状に対応できるよう、素材はシリコン等の弾力性材を用いる。
【図面の簡単な説明】
【０００７】
【図１】本件発明である注ぎ口の上面図。
【図２】本件発明である注ぎ口の側面図。
【図３】本件発明である注ぎ口をボウルに装着した例を示す。
【図１】
2010013191.tif 000003
【図２】
2010013191.tif 000004
【図３】
2010013191.tif 000005
(57)【要約】【課題】現在の火災警報器は火災の発生した部屋で鳴つているが他の部屋では聞こえないことが多い夜寝ている人を先づ無線警報器（１）の大きな音で目ざめさせて無線通話器（３）で火災の場所状況を知らせそれで全員が火災の発生を知り早く逃げることが焼死者を少なくする【解決手段】人の居る部屋毎に無線警報器（１）と無線発信器（２）を設け更に無線通話器（３）を設け先づ火災発生発見者が自室の無線発信器（２）のボタンを押して他の部屋の無線警報器（１）の大きな音で寝ている人も目ざめさせて次に無線通話器（３）で火災発生場所状況を知らせ知った人は各自自分の名を云つて應答し発信者が名前を云つて連絡終了と云うこの様なシステムである。この様に次から次とすることにより無線の届かない処迄知ることが出来る家族等火災時の訓練をしておくとよい。無線の届かない部屋は有線にするとよい。【選択図】図１
2010134889.tif 000002
【特許請求の範囲】
【請求項１】
人の居る部屋毎に無線警報器（１）と無線発信器（２）無線通話器（３）を設け火災発見者が自室の無線発信器（２）のボタンを押して他の部屋の火災警報器（１）の大きな音で先づ寝ている人を目ざめさせて次に無線通話器（３）により火災場所と状況を知らせる知らせを受けた人は自分の名を告げて應答し自室の無線発信器（２）のボタンを押して他の部屋の無線警報器（１）の大きな音で寝ている人も目ざめさせて次に無線通話機（３）で火災現場状況を知らせるこの様に次々とすることにより無線の届かないところ迄知らせることが出来て早く全員逃げて焼死を少なくするシステムである
應答を受けた発信者は全員を確認して自分の名をいつて連絡完了と云う
無線の通じない部屋は有線にするとよい。
【発明の詳細な説明】
【技術分野】
【０００１】  この発明は火災の時の警報と通話連絡に関するシステムである。
【背景技術】
【０００２】  従来火災警報器は火災になった部屋丈で鳴つていた
全員に早く知らせる為に次のシステムが必要である
【発明の開示】
【発明が解決しようとする課題】
【０００３】  これは次のような問題点があった火災の時火災の発生した部屋で鳴つていても他の部屋で寝ている人は何もわからず逃げおくれて焼死する
本発明は以上のような欠点を補うためのものである。
【課題を解決するための手段】
【０００４】  人の居る部屋に寝ている人も目もさます大きな音のでる無線警報器（１）と無線発信器（２）それに火災発生場所状況を知らせるための無線通話器（３）を具える
【発明の効果】
【０００５】  人の居る部屋毎に早く火災発生を知らせ全員逃げて焼死者を減少させる
【発明を実施するための最良の形態】
【０００６】以下本発明の実施例について設明する。
人の居る部屋毎に無線警報器（１）と無線発信器（２）を設け更に無線通話器（３）を設け先づ火災発生発見者が自室の無線発信器（２）のボタンを押すと他の部屋の無線警報器（１）の大きな音で寝ている人も目ざめさせて次に無線通話器（３）で火災発生場所状況を知らせ知つた人は各自自分の名を云つて應答し発信者が名前を云つて連絡終了と云う
無線の届かない部屋は有線にするとよい。
【図面の簡単な説明】
【０００７】
【図１】本発明の平面図である
【符号の説明】
【０００８】１  無線警報器
２  無線発信器
３  無線通話器
【図１】
2010134889.tif 000003
(57)【要約】【課題】  浜松まつりの練り曲はラッパで吹いている。浜松まつりを体感することはラッパを吹けないと出来ない。ラッパの曲を笛で奏でることが出来るなら体感できるようになると考えた。【解決手段】  指孔は７孔の七本調子の篠笛の指譜を作って浜松まつりの練りの曲を笛の曲で体感できるようになった。【選択図】図１
2010091999.tif 000002
【特許請求の範囲】
【請求項１】
静岡県浜松市の５月に行う凧揚げ祭りの練り（ネリ）の曲を篠笛で奏でることが出来ることを特徴とした。
【請求項２】
浜松まつりのラッパの練りの曲を指孔は七孔の７本調子の、請求項１記載の笛の音色で奏でることを特徴とした。
【請求項３】
ラッパの練りの曲を笛の練りの曲となるように指の位置を考案し、指の位置を表にして、指譜（ユビフ）として、請求項１記載の笛で奏でることを特徴とした。
【発明の詳細な説明】
【技術分野】
【０００１】  本発明は、既存の曲を違う楽器で奏でることを可能とした。
【背景技術】
【０００２】  従来の練り曲はラッパで奏でているが笛で奏でることができない。【０００３】  ラッパを吹くことが出来る人が浜松まつりを体感している。
【発明の開示】
【発明が解決しようとする課題】
【０００４】  ラッパを吹くことが出来ないと浜松まつりの練りの曲を体感できなかった。【０００５】  ラッパの練りの曲を笛で体感できることを目的とした。
【問題を解決するための手段】
【０００６】  そして今回の考案は静岡県浜松市の５月に行う凧揚げ祭りの練りの曲を篠笛で奏でることが出来ることになったこと。
【０００７】  また浜松まつりのラッパの練りの曲を指孔は七孔の７笨調子の篠笛で奏でることが出来ることになったこと。
【０００８】  またラッパの練りの曲を笛の練りの曲と出来るように指の位置を考案して指の指孔の位置を表にして指譜（ゆびふ）と表記して篠笛で奏でることが出来ることになったこと。
【発明の効果】
【０００９】  ラッパの曲が笛で奏でることが可能となる。
【００１０】  ラッパを吹くことが出来ない人が、浜松まつりの笛の練りの曲で体感できることが可能となる。
【発明を実施するための最良の形態】
【００１１】  以下に図面１、図面２で指の指孔の開と塞ぐ位置を表記する。【００１２】  篠笛の指孔の位置を１孔から７孔として浜松まつりの練りの曲になるように塞ぐ指孔、開ける指孔を表記した。【００１３】  だれでも図１を参考に浜松祭りの練り曲を篠笛で奏でることができるし体感が出来ることになる。
【図面の簡単な説明】
【００１４】  黒丸は指孔を塞ぐ。白丸は指孔を開ける。大きい丸は１調子とし、小さい丸は１／２調子とした。
【図１】
2010091999.tif 000003
【図２】
2010091999.tif 000004
【手続補正書】
【提出日】平成21年1月13日(2009.1.13)
【手続補正２】
【補正対象書類名】明細書
【補正対象項目名】００１４
【補正方法】変更
【補正の内容】
【００１４】
【図１】  浜松まつりの練りの曲の全１曲の前半を表記した
【図２】  浜松まつりの練りの曲の全１曲の後半を表記した